(57)【要約】      （修正有）【課題】携帯式電子装置に適用する機能拡張ユニットを提供する。【解決手段】機能拡張ユニットは、ケースモジュール１と、回路基板モジュール２と、第一入出力モジュールと、第二入出力モジュールとを含む。ケースモジュール２は、ケース１０と、ケース１０に形成された開口１１と、ケース１０に枢着し開口１１を選択的に開閉するカバー１２とを備える。第一入出力モジュール３は、回路基板モジュール２と複数の異なる周辺電子設備との間に電気的に接続される。第二入出力モジュール４は、回路基板モジュール２と携帯式電子装置の外付けコネクタとの間に電気的に接続される。よって、携帯式電子装置の後端がカバー１２を押し付けて移動させると、開口１１は開状態となり、携帯式電子装置の後端の一部を開口１１からケースモジュール２のケース１０内に収容させる。【選択図】図１
0003151325.tif 000002
【実用新案登録請求の範囲】
【請求項１】
ケースと、前記ケースに形成された開口と、前記ケースに枢着し前記開口を選択的に開閉するカバーとを備えるケースモジュールと、
前記ケースモジュールのケース内に設けられる回路基板モジュールと、
前記ケースモジュールのケース上に設けられ、且つ、前記回路基板モジュールと複数の異なる周辺電子設備との間に電気的に接続される第一入出力モジュールと、
前記ケースモジュールのケース上に設けられ、且つ、前記回路基板モジュールと携帯式電子装置の外付けコネクタとの間に電気的に接続される第二入出力モジュールと、を含むことによって、
前記携帯式電子装置の後端が前記カバーを押し付けて移動させると、前記ケースモジュールの開口は開状態となり、前記携帯式電子装置の後端の一部を前記開口から前記ケースモジュールのケース内に収容させることを特徴とする携帯式電子装置に適用する機能拡張ユニット。
【請求項２】
前記ケースは、前半ケース及び後半ケースからなり、前記携帯式電子装置の電池モジュールの一部は、前記携帯式電子装置の後端から突出し、且つ、前記ケースモジュールのカバーは、電池モジュールの押し付けにより開かれることを特徴とする請求項１に記載の携帯式電子装置に適用する機能拡張ユニット。
【請求項３】
前記前半ケースは前記後半ケースより低く、前記開口は前記後半ケースの前端に形成され、前記カバーは後半ケースの先端に枢着され、
前記ケースモジュールは、さらに、前記前半ケースの上端に設けられた少なくとも二つの位置決め凸部を有し、且つ、前記二つの位置決め凸部は、それぞれ、前記携帯式電子装置の下端に位置された二つの位置決め凹部と組み合わせ、前記携帯式電子装置を前記前半ケースの上端に位置決めさせ、
前記回路基板モジュールは、前記前半ケース及び前記後半ケース内に設けられ、
前記第一入出力モジュールは、前記後半ケースの後端に設けられ、且つ、前記第一入出力モジュールは、異なる周辺電子設備と電気的に組み合わせるための複数のポートを備え、
前記第二入出力モジュールは、前記前半ケースの上端に設けられ、且つ、前記第二入出力モジュールは、前記携帯式電子装置の外付けコネクタに電気的に組み合わせる電気コネクタであることを特徴とする請求項２に記載の携帯式電子装置に適用する機能拡張ユニット。
【請求項４】
さらに、前記前半ケースの上端に設けられ、前記携帯式電子装置を上へ押し付けて移動させるばねユニットを有し、前記ばねユニットは、前記前半ケースの位置制限により一部のみ前記前半ケースの上端に突出された少なくとも二つの可動凸部と、それぞれ前記可動凸部の下端に設けられ、少なくとも二つの可動凸部をそれぞれ上へ押し付けて移動させる少なくとも二つのばねとを含むことを特徴とする請求項２に記載の携帯式電子装置に適用する機能拡張ユニット。
【請求項５】
さらに、前記前半ケースの上端に設けられ、前記携帯式電子装置の下端に位置された二つの係止溝と組み合わせるためのロックユニットを有し、前記ロックユニットは、前記前半ケースの上端に突出され前記二つの係止溝と組み合わせる二つの可動フックと、前記後半ケースの上端に設けられた押し部と、前記二つの可動フックと前記押し部との間に設けられた連動機構と、前記二つの可動フック、前記押し部及び前記連動機構を復帰させるように付勢する複数のばねとを含み、前記押し部により前記連動機構を連動し、前記二つの可動フックを前記二つの係止溝からそれぞれ離脱させることを特徴とする請求項２に記載の携帯式電子装置に適用する機能拡張ユニット。
【考案の詳細な説明】
【技術分野】
【０００１】
本考案は、機能拡張ユニットに関り、特に、携帯式電子装置に適用する機能拡張ユニットに関するものである。
【背景技術】
【０００２】
軽薄、短小化の設計傾向につれて、現在、ノートパソコンがますます小型化されている。一方、一部の機構部品には大きさに条件があるため、ノートパソコンの小型化には限界がある。そのため、ノートパソコンを小型化する場合にも卓上型コンピュータと同じ機能を具備するため、ノートパソコンに適用する機能拡張ユニット（ｄｏｃｋｉｎｇ  ｓｔａｔｉｏｎ）が開発されている。
【０００３】
このような機能拡張ユニットは、複数のインターフェース規格のポート、例えば、ＵＳＢや、ＰＳ／２ポート、ＩＥＥＥ１３９４、パラレルポート（ｐａｒａｌｌｅｌ  ｐｏｒｔ）、シリアルポート（ｓｅｒｉａｌ  ｐｏｒｔ）、イーサネット（登録商標）ポート（ＲＪ−４５）及び光ディスク等からなり、機能拡張ユニットとノートパソコンとが分離する設計方式によって、ノートパソコンの重さを大幅に軽減し、小型化することができる。また、ノートパソコンを周辺装置と接続する必要がある場合、ユーザはノートパソコンを機能拡張ユニット上に置けば、周辺装置とデータ伝送作業を行え、或いはノートパソコンの充電作業を行える。
【０００４】
しかしながら、「大型サイズの電池」を有する携帯式電子装置と従来の機能拡張ユニットとを電気的に組み合わせたとき、従来の機能拡張ユニットでは、該携帯式電子装置の大型サイズの電池に影響されて使用できなくなることがある。言い換えれば、携帯式電子装置の大型サイズの電池に影響されるため、「大型サイズの電池」を有する携帯式電子装置には、従来の機能拡張ユニットを電気的に組み合わせることができないことがあった。
【０００５】
以上から分かるように、現在、従来の機能拡張ユニットには、不便や欠点が明らかに存在し、改善されるべきである。
【０００６】
本考案者は、上記欠点を改良するため、長年この領域で積み立てた経験により鋭意研究し、さらに学術理論を運用することで、合理的な設計でありかつ前記欠点を有効に改善できる本考案を提案した。
【考案の概要】
【考案が解決しようとする課題】
【０００７】
本考案の主な目的は、携帯式電子装置に適用する機能拡張ユニットを提供することにある。本考案の機能拡張ユニットを該携帯式電子装置と電気的に組み合わせることにより、本考案は、該携帯式電子装置に使用される電池モジュールの大きさに制限されない。
【課題を解決するための手段】
【０００８】
前記技術課題を解決するため、本考案による携帯式電子装置に適用する機能拡張ユニットは、ケースモジュールと、回路基板モジュールと、第一入出力モジュールと、第二入出力モジュールとを含む。前記ケースモジュールは、ケースと、前記ケースに形成された開口と、前記ケースに枢着し前記開口を選択的に開閉するカバーとを備える。前記回路基板モジュールは、前記ケースモジュールのケース内に設けられる。前記第一入出力モジュールは、前記ケースモジュールのケース上に設けられ、且つ、前記第一入出力モジュールは、前記回路基板モジュールと複数の異なる周辺電子設備との間に電気的に接続される。前記第二入出力モジュールは、前記ケースモジュールのケース上に設けられ、且つ、前記第二入出力モジュールは、前記回路基板モジュールと前記携帯式電子装置の外付けコネクタとの間に電気的に接続される。よって、前記携帯式電子装置の後端が前記カバーを押し付けて移動させると、前記ケースモジュールの開口は開状態となり、前記携帯式電子装置の後端の一部を前記開口から前記ケースモジュールのケース内に収容させる。
【考案の効果】
【０００９】
そのため、携帯式電子装置に使用される電池モジュールが特殊な規格（大型サイズの電池）であっても、または一般規格（小型サイズの電池）であっても、本考案の機能拡張ユニットの開口及びカバーの設計により、該携帯式電子装置と該機能拡張ユニットとを電気的に組み合わせることができる。
【００１０】
本考案の所定目的を達成するために採択した技術、手段及び機能については、本考案に関わる下記の詳しい説明及び添付図面を参照することにより、深く且つ具体的な理解が得られる。しかし、それらの添付図面は参考及び説明のみに使われ、本考案の主張範囲を狭義的に局限するものではない。
【図面の簡単な説明】
【００１１】
【図１】本考案による携帯式電子装置に適用する機能拡張ユニットを示す分解斜視図である。
【図２Ａ】本考案による携帯式電子装置に適用する機能拡張ユニットを示す斜視図である。
【図２Ｂ】本考案による携帯式電子装置に適用する機能拡張ユニットを他方向からみた斜視図である。
【図２Ｃ】本考案による携帯式電子装置に適用する機能拡張ユニットを示す側面図である。
【図３Ａ】本考案による携帯式電子装置に適用する機能拡張ユニットと携帯式電子装置との組み合わせを示す斜視図である。
【図３Ｂ】本考案による携帯式電子装置に適用する機能拡張ユニットと携帯式電子装置との組み合わせを示す側面図である。
【図４Ａ１】本考案による携帯式電子装置に適用する機能拡張ユニットのロックユニットを引く前の状態を示す側面図である。
【図４Ａ２】本考案による携帯式電子装置に適用する機能拡張ユニットのロックユニットを引く前の状態を示す斜視図である。
【図４Ｂ１】本考案による携帯式電子装置に適用する機能拡張ユニットのロックユニットを引いた後の状態を示す側面図である。
【図４Ｂ２】本考案による携帯式電子装置に適用する機能拡張ユニットのロックユニットを引いた後の状態を示す斜視図である。
【図４Ｃ】本考案による携帯式電子装置に適用する機能拡張ユニットのばねユニットの突出後の状態を示す側面図である。
【考案を実施するための形態】
【００１２】
図１〜図３Ｂに示すように、図１は、本考案による携帯式電子装置に適用する機能拡張ユニットを示す分解斜視図である。図２Ａは、本考案による携帯式電子装置に適用する機能拡張ユニットを示す斜視図である。図２Ｂは、本考案による携帯式電子装置に適用する機能拡張ユニットを他方向からみた斜視図である。図２Ｃは、本考案による携帯式電子装置に適用する機能拡張ユニットを示す側面図である。図３Ａは、本考案による携帯式電子装置に適用する機能拡張ユニットと携帯式電子装置との組み合わせを示す斜視図である。図３Ｂは、本考案による携帯式電子装置に適用する機能拡張ユニットと携帯式電子装置との組み合わせを示す側面図である。
【００１３】
図１及び図２Ａから分かるように、本考案による携帯式電子装置に適用する機能拡張ユニットは、ケースモジュール１と、回路基板モジュール２と、第一入出力モジュール３と、第二入出力モジュール４とを含む。
【００１４】
そのうち、ケースモジュール１は、ケース１０と、ケース１０に形成された開口１１と、ケース１０に枢着し開口１１を選択的に開閉するカバー１２とを備える。また、ケース１０は、前半ケース１０Ａ及び後半ケース１０Ｂからなり、且つ、前半ケース１０Ａは後半ケース１０Ｂより低い。また、本考案の実施例によれば、開口１１は後半ケース１０Ｂの前端に形成され、カバー１２は後半ケース１０Ｂの先端に枢着される。
【００１５】
また、ケースモジュール１は、さらに、前半ケース１０Ａの上端に設けられた少なくとも二つの位置決め凸部１３と、前半ケース１０Ａの上端に設けられたばねユニット１４と、前半ケース１０Ａの上端に設けられたロックユニット１５とを含む。
【００１６】
また、回路基板モジュール２は、ケースモジュール１のケース１０内に設けられる。本考案の実施例によれば、回路基板モジュール２は、前半ケース１０Ａ及び後半ケース１０Ｂ内に設けられる。
【００１７】
さらに、図２Ｂから分かるように、第一入出力モジュール３は、ケースモジュール１のケース１０上に設けられ、且つ、第一入出力モジュール３は、回路基板モジュール２と複数の異なる周辺電子設備Ｐとの間に電気的に接続される。本考案の実施例によれば、第一入出力モジュール３は、後半ケース１０Ｂの後端に設けられ、且つ、第一入出力モジュール３は、これらの異なる周辺電子設備Ｐと電気的に組み合わせるための複数のポート３０を備える。
【００１８】
また、図３Ａ及び図３Ｂから分かるように、第二入出力モジュール４は、ケースモジュール１のケース１０上に設けられ、且つ、第二入出力モジュール４は、回路基板モジュール２と携帯式電子装置Ｎの外付けコネクタＮ１との間に電気的に接続される。本考案の実施例によれば、第二入出力モジュール４は、前半ケース１０Ａの上端に設けられ、且つ、第二入出力モジュール４は、携帯式電子装置Ｎの外付けコネクタＮ１に電気的に組み合わせる電気コネクタ４０である。
【００１９】
また、図２Ｃ及び図３Ｂに合せて示すように、携帯式電子装置Ｎの電池モジュールＮ２の一部は、携帯式電子装置Ｎの後端から突出し、且つ、ケースモジュール１のカバー１２は、電池モジュールＮ２の押し付けにより開かれる。言い換えれば、携帯式電子装置Ｎの後端（電池モジュールＮ２の後端）をカバー１２に押し付けると、ケースモジュール１の開口１１は開状態となり、携帯式電子装置Ｎの後端の一部（電池モジュールＮ２の一部）を開口１１からケースモジュール１のケース１０の後半ケース１０Ｂ内に収容させる。
【００２０】
携帯式電子装置Ｎに使用される電池モジュールＮ２が特殊な規格（大型サイズの電池）であってもまたは一般規格（小型サイズの電池）であっても、該携帯式電子装置Ｎは、開口１１及びカバー１２の設計により、該携帯式電子装置Ｎと本考案の機能拡張ユニットとを電気的に組み合わせることができる。言い換えれば、本考案の機能拡張ユニットによれば、携帯式電子装置Ｎと電気的に組み合わせる際に、携帯式電子装置Ｎに使用される電池モジュールＮ２の大きさに制限されることがない。
【００２１】
また、図４Ａ１〜図４Ｃに合せて示すように、図４Ａ１は、本考案による携帯式電子装置に適用する機能拡張ユニットのロックユニットを引く前の状態を示す側面図である。図４Ａ２は、本考案による携帯式電子装置に適用する機能拡張ユニットのロックユニットを引く前の状態を示す斜視図である。図４Ｂ１は、本考案による携帯式電子装置に適用する機能拡張ユニットのロックユニットを引いた後の状態を示す側面図である。図４Ｂ２は、本考案による携帯式電子装置に適用する機能拡張ユニットのロックユニットを引いた後の状態を示す斜視図である。図４Ｃは、本考案による携帯式電子装置に適用する機能拡張ユニットのばねユニットの突出後の状態を示す側面図である。
【００２２】
また、図４Ａ１及び図４Ａ２から分かるように、前半ケース１０Ａの上端に設けられた少なくとも二つの位置決め凸部１３は、それぞれ、携帯式電子装置Ｎの下端に位置された二つの位置決め凹部Ｎ３と組み合わせ、携帯式電子装置Ｎを前半ケース１０Ａの上端に位置決めさせる。
【００２３】
また、前半ケース１０Ａの上端に設けられたばねユニット１４は、前半ケース１０Ａの位置制限により一部のみ前半ケース１０Ａの上端に突出された少なくとも二つの可動凸部１４０と、それぞれ可動凸部１４０の下端に設けられ、二つの可動凸部１４０をそれぞれ上へ押し付けて移動させる少なくとも二つのばね１４１とを含む。
【００２４】
また、前半ケース１０Ａの上端に設けられたロックユニット１５は、携帯式電子装置Ｎの下端に位置された二つの係止溝Ｎ４と組み合わせるためのものである。また、ロックユニット１５は、前半ケース１０Ａの上端に突出され二つの係止溝Ｎ４と組み合わせる二つの可動フック１５０と、後半ケース１０Ｂの上端に設けられた押し部１５１と、二つの可動フック１５０と押し部１５１との間に設けられた連動機構１５２と、二つの可動フック１５０、押し部１５１及び連動機構１５２を復帰させるように付勢する複数のばね１５３とを含む。
【００２５】
図４Ｂ１及び図４Ｂ２から分かるように、ユーザは押し部１５１を押すと、押し部１５１は連動機構１５２を連動させ、二つの可動フック１５０を二つの係止溝Ｎ４からそれぞれ離脱させる。同時に、図４Ｃに合せて示すように、ばねユニット１４のばね１４１の付勢力により、携帯式電子装置Ｎを上へ押し付けて移動させる。この際、ユーザは携帯式電子装置Ｎを取り出すことができる。
【００２６】
以上のように、携帯式電子装置Ｎに使用される電池モジュールＮ２は、特殊な規格（大型サイズの電池）であってもまたは一般規格（小型サイズの電池）であっても、該携帯式電子装置Ｎは、開口１１及びカバー１２の設計により、該携帯式電子装置Ｎと本考案の機能拡張ユニットとを電気的に組み合わせることができる。言い換えれば、本考案の機能拡張ユニットによれば、携帯式電子装置Ｎと電気的に組み合わせる際に、携帯式電子装置Ｎに使用される電池モジュールＮ２の大きさに制限されることがない。
【００２７】
以上の説明は、単に本考案の好ましい具体的な実施例の詳細説明及び図面に過ぎず、本考案の実用新案登録請求の範囲を局限するものではない。当業者であれば、本考案の分野の中で、適当な変更や修飾などを実施できるが、それらの実施が本考案の主張範囲内に納まることは言うまでもない。
【符号の説明】
【００２８】
１ケースモジュール
２回路基板モジュール
３第一入出力モジュール
４第二入出力モジュール
１０ケース
１０Ａ前半ケース
１０Ｂ後半ケース
１１開口
１２カバー
１３位置決め凸部
１４ばねユニット
１５ロックユニット
３０ポート
４０電気コネクタ
１４０可動凸部
１４１ばね
１５０可動フック
１５１押し部
１５２連動機構
１５３ばね
Ｐ周辺電子設備
Ｎ携帯式電子装置
Ｎ１外付けコネクタ
Ｎ２電池モジュール
Ｎ３位置決め凹部
Ｎ４係止溝
【図１】
0003151325.tif 000003
【図２Ａ】
0003151325.tif 000004
【図２Ｂ】
0003151325.tif 000005
【図２Ｃ】
0003151325.tif 000006
【図３Ａ】
0003151325.tif 000007
【図３Ｂ】
0003151325.tif 000008
【図４Ａ１】
0003151325.tif 000009
【図４Ａ２】
0003151325.tif 000010
【図４Ｂ１】
0003151325.tif 000011
【図４Ｂ２】
0003151325.tif 000012
【図４Ｃ】
0003151325.tif 000013